(57)【要約】【課題】  カメラサイズを大きくすることなく、表示画像の視認性の向上を図る。【解決手段】  撮影時の被写体表示及び再生時の画像表示を行う表示部を、表示部視認用の窓を有する外観部材より内側に収納可能であり、表示部の制御を行う制御手段及び、表示部の位置を検出する検出手段を有するカメラに於いて、該表示部は収納位置と取り出し位置に於いて表示サイズを変化させる事を特徴とするカメラ。【選択図】  図２
2005130375.tif 000002
【特許請求の範囲】
【請求項１】
撮影時の被写体表示及び再生時の画像表示を行う表示部を、表示部視認用の窓を有する外観部材より内側に収納可能であり、表示部の制御を行う制御手段及び、表示部の位置を検出する検出手段を有するカメラに於いて、該表示部は収納位置と取り出し位置に於いて表示サイズを変化させる事を特徴とするカメラ。
【請求項２】
請求項1のカメラに於いて、該表示部が収納位置に有る場合、表示部と外観部との間にカメラの操作SWを有する事を特徴とするカメラ。
【請求項３】
請求項1、２のカメラに於いて収納位置と取り出し位置は、スライド機構によって摺動自在となるように支持した事を特徴とするカメラ。
【請求項４】
請求項1、２のカメラに於いて収納位置と取り出し位置は、回動機構によって摺動自在となるように支持した事を特徴とするカメラ。
【請求項５】
請求項1、２、３、４のカメラに於いて表示部が取り出し位置に有る場合は、カメラモードが再生モードへ自動で切り替わる事を特徴とするカメラ。
【請求項６】
請求項４のカメラに於いて該表示部が、取り出し位置に有る場合は、画像の方向が収納位置と同じになるように、画像位置を自動で回転させる事を特徴とするカメラ。
【請求項７】
請求項1のカメラに於いて表示部として、EL（Electroluminescense(電解発光)）素子を使用する事を使用する事を特徴とするカメラ。
【請求項８】
収納位置と突出位置との間で移動可能な画像表示部と、該画像表示部の位置を検出する検出手段と、該画像表示部の表示サイズを制御する制御手段とを有し、
前記制御手段は、前記検出手段の検出結果に基づき、前記収納位置と前記突出位置とにおいて前記画像表示部の表示サイズを変更することを特徴とするカメラ。
【発明の詳細な説明】
【技術分野】
【０００１】
本発明は、カメラ、特にデジタルスチルカメラの画像表示部に関する。
【背景技術】
【０００２】
デジタルカメラに於いては、カメラと一体となった表示部を有するカメラは良く知られている。下記の特許文献１では、カメラの外観に設置された表示装置が収納位置と使用位置に摺動する事によって、視認性の向上と操作性が損なわれないようにするビデオカメラが提案されている。
【０００３】
また、下記の特許文献２では、カメラの外側に多層に重畳された表示部を設置し、表示面積を増大させ撮影情報を整理可能な表示装置が提案されている。
【特許文献１】特開平８−９８０７１号公報
【特許文献２】特開平４−２６８５４０号公報
【発明の開示】
【発明が解決しようとする課題】
【０００４】
しかしながら、一般に良く知られた本体に内蔵された表示部を持つカメラでは、表示部は、カメラ背面部に配置されている事が多い、カメラ背面部には、モード切り替えSW・焦点切り替えSW等の各操作部材が有る為、表示部は必然的に小さくなってしまう。
【０００５】
小さい画面でも被写体を撮影する際には問題ないが、再生を行う場合画面が小さいと視認性が悪くなってしまう。そこで、視認性を良くする為表示部を大きくしてしまうとカメラが必然的に大きくなってしまう。
【０００６】
特許文献１にて記載のカメラでは、カメラの外観に表示装置が設置されている為、操作部材を操作する際、表示部を使用位置へ移動させなければならず、煩わしさが残ってしまう。また、特許文献２にて記載のカメラでは、カメラの外側に多層に重畳に表示部を設置しているため、表示部が複数必要になってしまい、厚さ方向の容積も必要となってしまう。
【課題を解決するための手段】
【０００７】
上記問題を解決するため本提案においては、撮影時の被写体表示及び再生時の画像表示を行う表示部を、表示部視認用の窓を有する外観部より内側に収納可能であり、表示部の制御を行う制御手段及び、表示部の位置を検出する検出手段を有するカメラに於いて、該表示部は収納位置と取り出し位置に於いて表示サイズを変化させる事とした。つまり、被写体撮影時のように表示部の視認性をあまり必要としない場合は、表示部を本体に収納し視認窓より確認可能な範囲に、表示サイズを小さくし被写体を確認しながら撮影を行い、再生時のように表示部の視認性を必要とする場合は、表示部を本体より引き出し表示サイズを最大とした。
【０００８】
これにより、視認性・操作性を犠牲にする事無く、撮影・再生操作が可能となる。
又、表示部材として注目されているEL Electroluminescense(電解発光)）素子を使用する事によって、カメラの厚さ方向の容積も少なくなり小型化も可能となる。
【０００９】
収納位置と突出位置との間で移動可能な画像表示部と、画像表示部の位置を検出する検出手段と、画像表示部の表示サイズを制御する制御手段とを有し、制御手段は、検出手段の検出結果に基づき、収納位置と突出位置とにおいて画像表示部の表示サイズを変更することを特徴とするカメラ。
【発明の効果】
【００１０】
以上説明したように本発明によれば、表示装置を収納位置と取り出し位置に移動可能で、且つそれぞれの位置において表示サイズを変更可としたため、カメラ縦横サイズを大きくする事無く視認性の向上が可能となる。又、本提案の表示装置としてEL素子を使用する事によって、カメラの厚さ方向のも薄型化が可能となる。
【００１１】
また、表示装置の移動と表示モードの変更を自動的に連動させる事によって、モードSW等によるモード切り換え等の煩わしさが無くなり、カメラの操作性も向上する。
【発明を実施するための最良の形態】
【００１２】
以下、本発明のカメラの実施例について図面を参照して詳細に説明する
【実施例１】
【００１３】
図１は、本発明の実施例における基本ブロック図、図2は本実施例1における背面図及び、側面図である。まず、図１のブロック図について説明する。１は表示制御・記憶回路を含むカメラ全体の制御を行う制御回路（マイクロコンピュータ）であり、2はカメラの各種モードの表示、撮影時の被写体表示及び、録画された画像の再生表示を行う、表示装置である。
【００１４】
３は、表示装置の位置を検出する位置検知SW、４は、撮影レンズの焦点を望遠側へ移動させる為のTELE SW、６は、撮影レンズの焦点を広角側へ移動させる為のWIDE SW、5及び７はカメラの撮影、再生、ストロボ状態などの撮影モードを変化させ、決定する為のモードSW A及びモードSW Bで有る。
【００１５】
次に 図２について説明する。図２（ａ）は表示装置が外観部材より内側に収納された状態であり、（ｂ）は表示装置が外観部材より外側に有る状態つまり、取り出し状態で有る。
【００１６】
図２は撮影鏡筒（１１）によって撮影し、制御回路（１）によって記憶された画像を、モードＳＷＡ及びモードＳＷＢによって再生表示モードの設定された状態である。
【００１７】
図2（ａ）の状態では、各ＳＷが表示装置と外観部材の間になるように配置されている、又外観部材（１０）の表示窓（１０−１）のサイズに合う状態で、再生画像縮小表示している。
その状態で、表示装置（２）を摘み出すための外観溝（１０−２）から、指等を使用して表示装置を横方向へスライドさせると、表示装置は、表示装置を案内する為の案内凸部材（１２）に案内されて移動する。移動の途中で位置検知SW(３)がOFF状態となり、表示装置の表示状態がFULL表示状態へと切り替わる、そして案内凸部材（１２）と表示装置２の凸部（２−１）が当たり停止する。つまり（ｂ）の状態となる。
【実施例２】
【００１８】
図３は本実施例２における背面図及び、側面図である。ブロック図は図１と同じ為省略する。
図３（ａ）は表示装置が外観部材より内側に収納された状態であり、（ｂ）は表示装置が外観部材より外側に有る状態つまり、取り出し状態で有る。
【００１９】
図３は撮影鏡筒（１１）によって撮影し、制御回路（１）によって記憶された画像を、モードＳＷＡ及びモードＳＷＢによって再生表示モードの設定された状態である。図３（ａ）の状態では、各ＳＷが表示装置と外観部材の間になるように配置されている、又、外観部材（２０）の表示窓（２０−１）のサイズに合う状態で、再生画像縮小表示している。
【００２０】
その状態で、表示装置（２）を摘み出すための外観溝（２０−２）から、指等を使用して
表示装置を時計回転方向へ回転させようとすると、表示装置は、表示装置の回転中心となる回転軸（２２）を中心に回転する。移動の途中で位置検知SW(３)がOFF状態となり、表示装置の表示状態がFULL表示状態へと切り替わると共に、画像が180度回転し、停止凸部材（２３）に当たり停止する。つまり（ｂ）の状態となる。
【００２１】
上記、実施例１・２では、再生表示モードに於いて説明したが、被写体の撮影モードに
おいても、上記操作と表示は同じとする事が可能である。また、モードSWに於いて再生表示モードに切り替えなくても、表示装置が取り出し状態で有ると位置検知SWによって判定した場合は、自動的に表示モードを再生モードへ切り替える事も可能である。
【図面の簡単な説明】
【００２２】
【図１】実施例１．２におけるブロック図
【図２】実施例１における背面図、側面図
【図３】実施例２における背面図、側面図
【符号の説明】
【００２３】
１  制御回路
２  表示装置
３  位置検知ｓｗ
４  TELE SW
５  モードＳＷ A
６  WIDE SW
７  モードSW B
１０  外観部材
１１  撮影鏡筒
１２  案内凸部材
２０  外観部材
２２  回転軸
２３  停止凸部材
【図１】
2005130375.tif 000003
【図２】
2005130375.tif 000004
【図３】
2005130375.tif 000005